(57)【特許請求の範囲】
【請求項１】
第一枠体および前記第一枠体内に固定された固定障子を備える第一建具と、
第二枠体および前記第二枠体内に開閉可能に設けられた可動障子を備える第二建具と、を連窓形式で併設して、浴室と脱衣室との出入り口に用いられる建具であって、
前記第一枠体は、第一上枠、第一下枠、左右の第一縦枠を有し、
前記第二枠体は、第二上枠、第二下枠、左右の第二縦枠を有し、
前記固定障子は、上框、下框、左右の縦框にパネル材を取り付けて構成され、
前記第一上枠および前記第二上枠は、同一見込み寸法の形材で構成され、
前記固定障子と前記第一上枠との間には、前記浴室と前記脱衣室とを連通させる換気経路と、前記換気経路を開閉する弁部材とが設けられ、
前記第一上枠は、見込み片部と、前記見込み片部の脱衣室側端部から下方に延長された見付け片部とを備え、
前記見付け片部の下端縁は、前記固定障子の上框の下面と同一高さ位置、または、前記上框の下面よりも下方の高さ位置に設定されている
ことを特徴とする建具。
【請求項２】
請求項１に記載の建具において、
前記第一上枠は、前記固定障子の上框の浴室側に配置された垂下片部を備え、
前記換気経路の一部は、前記垂下片部および前記上框間の隙間で構成され、前記換気経路の浴室側開口は下向きに形成されている
ことを特徴とする建具。
【請求項３】
請求項１または請求項２に記載の建具において、
前記第一縦枠は、見込み片部と、前記見込み片部の脱衣室側端部から延長された見付け片部とを備え、
前記見付け片部の端縁は、前記固定障子の縦框の内周側の側面と同一の見付け方向位置、または、前記縦框の内側面よりも前記第一枠体の内周側の位置に設定されている
ことを特徴とする建具。
【請求項４】
請求項１から請求項３のいずれか一項に記載の建具において、
前記第一上枠は、見込み片部と、前記見込み片部の浴室側端部から下方に延長された垂下片部を備え、
前記垂下片部の下端縁は、前記固定障子の上框の下面と同一高さ位置、または、前記上框の下面よりも下方の高さ位置に設定されている
ことを特徴とする建具。
【請求項５】
請求項１から請求項４のいずれか一項に記載の建具において、
前記第一建具は、第二建具よりも高さ寸法が小さい腰高窓とされている
ことを特徴とする建具。
【発明の詳細な説明】
【技術分野】
【０００１】
本発明は、浴室と脱衣室との出入り口に用いられる換気機能付きの建具に関する。
【背景技術】
【０００２】
浴室出入り口用の建具として、枠体と、この枠体に開閉自在に設けられた戸とを備える折戸タイプあるいは開き戸タイプの建具が知られている（例えば、特許文献１）。
この建具では、上枠を、上下に離間させた上側の枠材と、下側の枠材とで構成し、この上下の枠材間に換気経路を形成し、下側の枠材の下方に折戸や開き戸を配置していた。
このため、前記特許文献１では、建具の見込み方向において、換気経路が形成される位置では、上側の枠材と、下側の枠材と、上下の枠材間に形成される換気経路と、下側の枠材の下側で案内される戸（可動障子）とが上下方向に並んで配置されていた。
【先行技術文献】
【特許文献】
【０００３】
【特許文献１】特許第４６６２３７１号公報
【発明の概要】
【発明が解決しようとする課題】
【０００４】
しかしながら、前記建具の上枠部分では、上側の枠材、換気経路、下側の枠材、戸が上下に並んで配置されるため、建具の上枠部分の見付け寸法（上下寸法）が大きくなり、戸（可動障子）の高さ寸法、つまり有効開口寸法が小さくなるという課題がある。
【０００５】
本発明の目的は、換気経路を備え、かつ、高さ方向の有効開口寸法を大きくできる建具を提供することにある。
【課題を解決するための手段】
【０００６】
本発明の建具は、第一枠体および前記第一枠体内に固定された固定障子を備える第一建具と、第二枠体および前記第二枠体内に開閉可能に設けられた可動障子を備える第二建具と、を連窓形式で併設して、浴室と脱衣室との出入り口に用いられる建具であって、前記第一枠体は、第一上枠、第一下枠、左右の第一縦枠を有し、前記第二枠体は、第二上枠、第二下枠、左右の第二縦枠を有し、前記固定障子は、上框、下框、左右の縦框にパネル材を取り付けて構成され、前記第一上枠および前記第二上枠は、同一見込み寸法の形材で構成され、前記固定障子と前記第一上枠との間には、前記浴室と前記脱衣室とを連通させる換気経路と、前記換気経路を開閉する弁部材とが設けられ、前記第一上枠は、見込み片部と、前記見込み片部の脱衣室側端部から下方に延長された見付け片部とを備え、前記見付け片部の下端縁は、前記固定障子の上框の下面と同一高さ位置、または、前記上框の下面よりも下方の高さ位置に設定されていることを特徴とする。
【０００７】
本発明の建具は、第一枠体および固定障子で構成されるＦＩＸ窓などの第一建具と、第二枠体および可動障子で構成される浴室ドアや浴室折戸などの第二建具とを連窓形式で併設して構成され、換気経路は第一建具に形成している。このため、第二建具には換気経路を設ける必要が無く、第二建具の上枠の見付け寸法も最小限に抑えることができるため、可動障子の高さ寸法、つまり高さ方向の有効開口寸法を大きくできる。
また、第一建具の第一上枠と、固定障子との間に換気経路を形成しているので、第一建具の上枠部分の見付け寸法（上下寸法）も小さくできる。すなわち、第一建具の見込み方向において換気経路が形成される位置では、第一上枠と、第一上枠の下方に配置された固定障子とが上下方向に並び、第一上枠を上側の枠材および下側の枠材の２つの部材で構成する必要が無いため、第一建具の上枠部分の見付け寸法を小さくすることができる。
【０００８】
本発明の建具において、前記第一上枠は、前記固定障子の上框の浴室側に配置された垂下片部を備え、前記換気経路の一部は、前記垂下片部および前記上框間の隙間で構成され、前記換気経路の浴室側開口は下向きに形成されていることが好ましい。
【０００９】
このような構成によれば、換気経路の浴室側開口が下向きに形成されているので、浴室側に取り込む空気を下向きに流入させて固定障子に沿って浴室に導入することができ、固定障子の浴室面の乾きを促進できる。
また、換気経路の浴室側開口が下向きに形成されることで、浴室側から見た場合に換気経路が垂下片部によって覆われて、換気経路内への水の浸入を防止でき、汚れも溜まりにくくできる。さらに、換気経路は利用者が直接視認し難いため、浴室側からの意匠性も向上できる。
【００１０】
本発明の建具において、前記第一縦枠は、見込み片部と、前記見込み片部の脱衣室側端部から延長された見付け片部とを備え、前記見付け片部の端縁は、前記固定障子の縦框の内周側の側面と同一の見付け方向位置、または、前記縦框の内側面よりも前記第一枠体の内周側の位置に設定されていることが好ましい。
【００１１】
このような構成によれば、前記第一縦枠の見付け片部の端縁が、固定障子の縦框の内周面面と同一の見付け方向位置、または、前記縦框の内側面よりも第一枠体の内周側の位置に設定されるため、脱衣室側から縦枠部分を視認した際に、縦框が前記見付け片部で覆われて視認し難くできる。このため、第一建具の縦枠部分における脱衣室側からの意匠性も向上できる。
【００１２】
本発明の建具において、前記第一上枠は、見込み片部と、前記見込み片部の浴室側端部から下方に延長された垂下片部を備え、前記垂下片部の下端縁は、前記固定障子の上框の下面と同一高さ位置、または、前記上框の下面よりも下方の高さ位置に設定されていることが好ましい。
【００１３】
このような構成によれば、前記垂下片部の下端縁が、上框の下面と同一高さ位置、または、前記上框の下面よりも下方の高さ位置に設定されるため、浴室側から第一上枠部分を視認した際に、上框は前記垂下片部によって視認し難くできる。このため、第一建具の上枠部分における浴室側からの意匠性も向上できる。
【００１４】
本発明の建具において、前記第一建具は、第二建具よりも高さ寸法が小さい腰高窓とされていることが好ましい。
【００１５】
すなわち、前記第一建具の第一下枠は、第二建具の下枠よりも高い位置に配置され、前記第一建具の第一縦枠は、第二建具の縦枠よりも長さ寸法が短くされている。
このような構成によれば、例えば、第一建具は、腰高なＦＩＸ窓として構成されるので、第一建具の下側に第一建具に干渉しないスペースを確保でき、この部分に浴槽を配置することもできる。このため、浴室に対する建具の配置自由度が高まり、浴室の様々なレイアウトに容易に対応できる。
【発明の効果】
【００１６】
本発明の建具によれば、換気経路を備え、かつ、高さ方向の有効開口寸法を大きくできる。
【図面の簡単な説明】
【００１７】
【図１】本実施形態に係る浴室出入口用の建具を脱衣室側から見た正面図。
【図２】前記建具および浴槽の配置位置を示す平面図。
【図３】図１のIII-III線で示す前記建具の横断面図。
【図４】図１のIV-IV線で示す前記建具の縦断面図。
【図５】図１のV-V線で示す前記建具の縦断面図。
【図６】前記建具の換気経路の要部を示す斜視図。
【図７】前記建具の換気経路の要部を示す斜視図。
【図８】変形例に係る浴室出入口用の建具を脱衣室側から見た正面図。
【図９】変形例に係る前記建具および浴槽の配置位置を示す平面図。
【発明を実施するための形態】
【００１８】
以下、本発明の実施形態に係る建具１を図面に基づいて説明する。
建具１は、図１に示すように、第一建具であるＦＩＸ窓２と、第二建具である浴室ドア５とを連窓形式で併設した浴室出入り口用の建具１である。ＦＩＸ窓２は、高さ寸法が浴室ドア５の約半分の腰高窓とされている。
この建具１は、図２、図３に示すように、浴槽１１０や浴室床（防水パン）１２０、浴室壁１３０等からなる浴室ユニット１００で構成された浴室と、この浴室に隣接して洗面台や洗濯パン等が設置される脱衣室との出入り口に用いられる建具である。ここで、ＦＩＸ窓２が腰高窓であるため、図２に示すように、ＦＩＸ窓２の下方に浴槽１１０を配置できる。
【００１９】
［ＦＩＸ窓の概略］
ＦＩＸ窓２は、図３、図４にも示すように、第一枠体である建具枠２０と、建具枠２０の内部に固定された固定障子６とを備えて構成されている。
建具枠２０は、第一上枠２１、第一下枠２２および左右の第一縦枠２３，２４を枠組みして構成されている。なお、以下の説明では、第一上枠２１、第一下枠２２、第一縦枠２３，２４を、単に上枠２１、下枠２２、縦枠２３、２４という。
固定障子６は、上框６１、下框６２および左右の縦框６３，６４を枠組みした内部に、パネル６５を嵌めこんで構成されている。
【００２０】
［浴室ドアの概略］
浴室ドア５は、図３、図５にも示すように、第二枠体である建具枠５０と、建具枠５０の内部に浴室側に開閉される１枚の可動障子４とを備えて構成されている。
建具枠５０は、第二上枠５１、第二下枠５２および左右の第二縦枠５３，５４を枠組みして構成されている。なお、以下の説明では、第二上枠５１、第二下枠５２、第二縦枠５３，５４を、単に上枠５１、下枠５２、縦枠５３、５４という。
可動障子４は、上框４１、下框４２および左右の縦框４３，４４を枠組みした内部に、パネル４５を取り付けて構成されている。パネル４５には、可動障子４を開閉操作するためのハンドル４５１が固定されている。
以下、ＦＩＸ窓２および浴室ドア５の構成を詳細に説明する。
【００２１】
［ＦＩＸ窓の構成：建具枠］
建具枠２０の上枠２１は、図４に示すように、上枠２１の見込み方向にほぼ沿って配置された見込み片部２１１と、見込み片部２１１の浴室側端縁から上方に延長された見付け片部２１２と、見込み片部２１１の浴室側端縁から下方に延長された垂下片部２１３と、見込み片部２１１の脱衣室側端部から下方に延長された見付け片部２１４とを備えている。
【００２２】
垂下片部２１３および見付け片部２１４の下端縁の高さ位置は、略同じ高さ位置に設定されている。また、見付け片部２１４の下端には、脱衣室側に突出されさらに上方に折曲されて断面略Ｌ字状に形成された見切り片部２１５が連続して形成されている。見切り片部２１５は、石膏ボード等で構成されて脱衣室の壁材１１の下面に当接し、壁材１１の端面と上枠２１との隙間を脱衣室から視認できないように隠している。また、見付け片部２１４の下端には、浴室側に突出する突起部２１６が形成されている。
【００２３】
上枠２１において、垂下片部２１３および見込み片部２１１の接合部分には中空部（ホロー部）が形成され、垂下片部２１３の剛性を向上させている。
見込み片部２１１には、後述する弁部材２５を回動自在に軸支する軸受部２１７が形成されている。
このように構成された上枠２１は、見込み片部２１１にねじ込まれたネジ１８で躯体に固定されている。
【００２４】
下枠２２は、図４に示すように、中空部２２１と、中空部２２１から上方に延出され、さらに脱衣室側に延出されて窓台１９上に載置された固定片部２２３と、固定障子６の下框６２の突起が係合する溝部とを備えている。
固定片部２２３の表面には、下枠２２の全長に渡って連続する溝が形成され、この溝部には下枠２２を窓台１９に固定するネジ１７が設けられている。ネジ１７は、溝に装着されたカバー２２９で覆われている。
【００２５】
縦枠２３は、図３に示すように、浴室ドア５の建具枠５０の縦枠５４に並んで配置され、後述する固定障子６の縦框６３が取り付けられている。この縦枠２３は、脱衣室側に面する見付け片部２３３と、見付け片部２３３から脱衣室側に突設された見切り片部２３５とを備えている。
縦枠２４は、縦枠２３と同一の断面形状の枠材であり、浴室ユニット１００の構造体（躯体）にネジ１５で固定され、柱などの躯体７にネジ１６で固定され、後述する固定障子６の縦框６４が取り付けられている。この縦枠２４も、脱衣室側に面する見付け片部２４３と、見付け片部２４３から突設されて見付け片部２４３および壁材１４間を隠す見切り片部２４５とを備えている。
縦枠２３，２４の内周面２３４、２４４には、上下方向に連続する凹溝が形成され、この凹溝には、前記ネジ１６や縦框６３、６４を縦枠２３、２４に連結するネジを隠すカバー２３９、２４９が全長に渡って取り付けられている。
【００２６】
［ＦＩＸ窓の構成：固定障子］
固定障子６の上框６１、下框６２は、図４に示すように、中空部６１１，６２１と、パネル６５を保持する保持溝部６１３、６２３とを備えている。
縦框６３、６４は、同一断面形状の部材であり、図３に示すように、コ字状に折曲された本体部６３１、６４１と、パネル６５を保持する保持溝部６３３、６４３とを備え、縦枠２３、２４に係止され、さらにネジやブラケットで固定されている。
【００２７】
保持溝部６１３、６２３、６３３、６４３は、上框６１、下框６２、縦框６３、縦框６４の見込み方向の中心位置よりも浴室側に形成され、保持溝部６１３、６２３、６３３、６４３で保持されるパネル６５も固定障子６の見込み方向の中心位置に対して、浴室側にオフセットして配置されている。また、上框６１の中空部６１１には傾斜面６１１Ａが形成され、垂下片部２１３に対向する部分は対向片部６１２とされている。
さらに、固定障子６の縦框６３、６４の高さ寸法は、予め枠組みされた建具枠２０に固定障子６を組み込むことができるように、上枠２１および下枠２２間の高さ寸法よりも短い寸法とされている。このため、固定障子６を建具枠２０内に組み込んだ際に、縦框６３、６４の上端と、上枠２１との間には隙間が生じ、この隙間を埋めるためのスペーサ６６が配置されている。また、縦框６３、６４の浴室側の端縁は、上框６１、下框６２の浴室側端縁と略同一面の位置に配置されている。縦框６３、６４の内周側の側面（本体部６３１、６４１の表面）は、縦枠２３、２４の見付け片部２３３、２４３の端縁（見切り片部２３５、２４５の表面）と同一の見付け方向位置に配置されている。
【００２８】
［浴室ドアの構成：建具枠］
浴室ドア５の建具枠５０の上枠５１は、図５に示すように、上枠５１の見込み方向にほぼ沿って配置された見込み片部５１１と、見込み片部５１１の浴室側端縁から上方に延長された見付け片部５１２と、見込み片部５１１の脱衣室側端部から下方に延長された見付け片部５１４とを備えている。
見付け片部５１４の下端縁の高さ位置は、後述する可動障子４の上框４１および上枠アタッチメント５７の下面と略同じ高さ位置に設定されている。また、見付け片部５１４の下端には、脱衣室側に突出されさらに上方に折曲されて断面略Ｌ字状に形成された見切り片部５１５が連続して形成されている。見切り片部５１５は、石膏ボード等で構成された脱衣室の壁材１１の下面に当接し、壁材１１の端面と上枠５１との隙間を脱衣室から視認できないように隠している。
また、見付け片部５１４の下端には、浴室側に突出する突起部５１６が形成されている。この突起部５１６は、上枠アタッチメント５７を係止するために設けられている。
このように構成された上枠５１は、前記建具枠２０の上枠２１に対し、中空部から下方に延長された垂下片部を備えない点以外は、同一形状とされている。したがって、上枠５１は、上枠２１と同一の金型を用いて押出成形した後に、垂下片部を切断することで製造することもできる。
【００２９】
上枠５１において、見付け片部５１２および見込み片部５１１の接合部分には中空部（ホロー部）が形成され、剛性を向上させている。
このように構成された上枠５１は、見込み片部５１１にねじ込まれたネジ１８で躯体に固定されている。
【００３０】
下枠５２は、図５に示すように、中空部５２１と、中空部５２１から延出されて脱衣室の床材１２上に載置されて固定される固定片部５２３と、気密材５２７が装着される溝部とを備えている。
固定片部５２３の表面には、下枠５２の全長に渡って連続する溝が形成され、この溝部には下枠５２を床材１２固定するネジ１７が設けられている。ネジ１７は、溝に装着されたカバー５２９で覆われている。
【００３１】
縦枠５３は、図３に示すように、浴室ユニット１００の構造体にネジ１５等で固定され、柱などの躯体７にネジ１６で固定され、可動障子４の縦框４３に当接する気密材５３７が装着されている。また、縦枠５３は、壁材１３が当接される見付け片部５３３と、見付け片部５３３および壁材１３間を隠す見切り片部５３５とを備える。
縦枠５４は、縦枠５３と同一の断面形状の枠材であり、ＦＩＸ窓２の縦枠２３に並んで配置されている。縦枠５４は、脱衣室側に面する見付け片部５４３と、見切り片部５４５とを備え、可動障子４の縦框４４に当接する気密材５４７が装着されている。
縦枠５３，５４の内周面５３４、５４４には、上下方向に連続する凹溝が形成され、この凹溝には、カバー５３９、５４９が全長に渡って取り付けられている。前記ネジ１６はカバー５３９で隠されている。
【００３２】
上枠５１において、縦枠５３と縦枠５４との間には、図５に示す上枠アタッチメント５７が配置されている。上枠アタッチメント５７は、浴室側に対向する対向片部５７１と、対向片部５７１の下端部から脱衣室側に延出された延出片部５７２とを備えて断面略Ｌ字状に形成されている。
対向片部５７１には、対向片部５７１の全長に渡って溝が形成され、この溝には、一対のリップシール部を有する気密材５７３が装着されている。
上枠アタッチメント５７の延出片部５７２の脱衣室側端部は前記突起部５１６で支持され、対向片部５７１の上端は見込み片部５１１に当接している。この上枠アタッチメント５７は、図示略のネジによって縦枠５３および縦枠５４に固定されている。
【００３３】
［浴室ドアの構成：可動障子］
可動障子４は、縦枠５３側に配置された縦框４３側が建具枠５０に軸支され、縦枠５４側が浴室内に開閉される。
図５に示すように、可動障子４の上框４１、下框４２は、中空部４１１，４２１と、パネル４５を保持する保持溝部４１３、４２３とを備えている。下框４２には、下枠５２に接触する気密材４２６が取り付けられている。
同様に、図３に示すように、縦枠２３側に配置されて吊元側となる縦框４３と、縦枠２４側に配置された戸先側となる縦框４４とは、中空部４３１，４４１と、パネル４５を保持する保持溝部４３３、４４３とを備えている。
保持溝部４１３、４２３、４３３、４４３は、中空部４１１、４２１、４３１、４４１の浴室側に配置されており、保持溝部４１３、４２３、４３３、４４３で保持されるパネル４５も可動障子４の見込み方向の中心位置に対して、浴室側にオフセットして配置されている。
【００３４】
このような可動障子４は、縦枠５３およびパネル４５に丁番を取り付けることで、縦框４４が浴室側に開閉される浴室ドアとして機能する。なお、丁番は縦枠５３および縦框４３に取り付けてもよい。さらに、丁番の代わりにピポットヒンジを用いてもよい。
また、可動障子４の閉鎖状態において、縦枠５３、５４に取り付けられた気密材５３７，５４７に、可動障子４の縦框４３、４４の脱衣室側の面が当接する。また、上枠アタッチメント５７に取り付けられた気密材５７３に、可動障子４の上框４１の脱衣室側の面が当接し、下枠５２に取り付けられた気密材５２７に、可動障子４の下框４２の脱衣室側の面が当接する。
これらの気密材５２７、５３７、５４７、５７３が可動障子４の各框４１〜４４に当接することで、可動障子４を閉めた際の浴室と脱衣室との間の止水性が確保される。
【００３５】
［連窓構造：ＦＩＸ窓および浴室ドアの連結構造］
ＦＩＸ窓２の建具枠２０と、浴室ドア５の建具枠５０とは、図３に示すように、縦枠２３、縦枠５４部分で連結されている。縦枠２３および縦枠５４の浴室側は互いに突き合わされており、縦枠２３および縦枠５４間の空間に配置される図示略のユニットバスの構造体に縦枠２３および縦枠５４をネジで固定している。これにより、縦枠２３および縦枠５４はユニットバスの構造体を介して連結されている。
さらに、縦枠２３および縦枠５４間の脱衣室側の開口部分には、方立部材７５が配置されている。方立部材７５は、縦枠２３、５４間に配置され、ネジ７７で縦枠２３および縦枠５４に固定されている。このネジ７７は、カバー２３９、５４９で隠されている。
【００３６】
［換気経路］
次に、建具１における換気経路３０の構成について説明する。図４，５に示すように、建具１は、連窓形式で併設されたＦＩＸ窓２および浴室ドア５のうち、ＦＩＸ窓２のみに換気経路３０を形成したものである。
換気経路３０の構成について、図４、図６，図７も参照して詳しく説明する。
上枠２１と、固定障子６の上框６１とは、上下方向に離れて配置されており、この上枠２１および上框６１間の隙間部分を介して、浴室と脱衣室とを連通させる換気経路３０が形成されている。
換気経路３０は、脱衣室側開口３１と、脱衣室側開口３１から上方に連続する脱衣室側通路３２と、脱衣室側通路３２から横方向に連続する連通通路３３と、連通通路３３から下方に連続する浴室側通路３４と、浴室側開口３５とを備えて構成されている。
【００３７】
脱衣室側開口３１は、上枠２１の見付け片部２１４の下端（突起部２１６）と、上框６１の脱衣室側の下端縁との間に形成されている。
脱衣室側通路３２は、見付け片部２１４と、上框６１との間に形成され、連通通路３３は、見込み片部２１１と、上框６１との間に形成されている。なお、上框６１には傾斜面６１１Ａが形成されているため、脱衣室側通路３２から連通通路３３に流れる空気は、スムーズに方向が変化するようになっている。
浴室側通路３４は、上方が見込み片部２１１で区画され、浴室側が垂下片部２１３で区画され、脱衣室側が上框６１の対向片部６１２で区画されている。この浴室側通路３４は、固定障子６の浴室側に形成されている。
浴室側開口３５は、上枠２１の垂下片部２１３の下端と、上框６１の浴室側の下端縁との間に形成されている。
なお、換気経路３０は、固定障子６と上枠２１との間に形成されるため、特に、脱衣室側開口３１、脱衣室側通路３２、連通通路３３は、縦框６３および縦框６４間に形成されている。また、弁部材２５の浴室側に形成される浴室側通路３４、浴室側開口３５は、縦枠２３および縦枠２４間に形成されている。
【００３８】
見込み片部２１１の軸受部２１７には、固定障子６の上框６１の略全長に対応して設けられて、換気経路３０を開閉可能な弁部材２５の一端側が回動自在に取り付けられている。すなわち、弁部材２５は、連通通路３３と浴室側通路３４との連通部を開閉する。
この弁部材２５は、脱衣室と浴室との気圧差によって開閉するものであり、脱衣室と浴室との気圧差がない場合には、図４に二点鎖線で示すように、弁部材２５の他端側に設けられたモヘア２５１が上框６１の対向片部６１２に当接して換気経路３０が閉鎖されるように構成されている。なお、固定障子６に当接して換気経路３０を開閉する弁部材２５の他端側はモヘア２５１に限らず、シート材などを弁部材２５の他端側の当接面に貼ってもよいし、弁部材２５の他端側を直接、固定障子６に当接させてもよい。
一方、可動障子４を閉じた状態で浴室の換気扇等を駆動して浴室の気圧が下がった場合には、図４に実線で示すように、弁部材２５の他端側である下端部が浴室側に回動して換気経路３０が開放され、脱衣室側開口３１から換気経路３０内部に流入した空気が脱衣室側通路３２、連通通路３３を通り、さらに浴室側通路３４において垂下片部２１３に沿って下降し、浴室側開口３５から浴室内部に供給され、これによって浴室の換気が行われるようになっている。
【００３９】
本発明は、第一枠体（建具枠２０）および前記第一枠体内に固定された固定障子６を備える第一建具（ＦＩＸ窓２）と、第二枠体（建具枠５０）および前記第二枠体内に開閉可能に設けられた可動障子４を備える第二建具（浴室ドア５）と、を連窓形式で併設して、浴室と脱衣室との出入り口に用いられる建具１であって、前記第一枠体は、第一上枠２１、第一下枠２２、左右の第一縦枠２３、２４を有し、前記第二枠体は、第二上枠５１、第二下枠５２、左右の第二縦枠５３、５４を有し、前記固定障子６は、上框６１、下框６２、左右の縦框６３、６４にパネル６５を取り付けて構成され、前記第一上枠２１および前記第二上枠５１は、同一見込み寸法の形材で構成され、前記固定障子６と前記第一上枠２１との間には、前記浴室と前記脱衣室とを連通させる換気経路３０と、前記換気経路３０を開閉する弁部材２５とが設けられ、前記第一上枠２１は、見込み片部２１１と、前記見込み片部２１１の脱衣室側端部から下方に延長された見付け片部２１４とを備え、前記見付け片部２１４の下端縁は、前記固定障子６の上框６１の下面と同一高さ位置、または、前記上框６１の下面よりも下方の高さ位置に設定されていることを特徴とする。このような構成の建具によれば、以下のような効果がある。
第一枠体（建具枠２０）および固定障子６で構成されるＦＩＸ窓２などの第一建具と、第二枠体（建具枠５０）および可動障子４で構成される浴室ドア５や浴室折戸などの第二建具とを連窓形式で併設して構成され、換気経路３０は第一建具（ＦＩＸ窓２）に形成している。このため、第二建具（浴室ドア５）には換気経路３０を設ける必要が無く、第二建具の上枠５１の見付け寸法も最小限に抑えることができるため、可動障子４の高さ寸法、つまり有効開口寸法を大きくできる。
また、第一建具の第一上枠２１と、固定障子６との間に換気経路３０を形成しているので、第一建具の上枠２１部分の見付け寸法（上下寸法）も小さくできる。すなわち、第一建具の見込み方向において換気経路３０が形成される位置では、第一上枠２１と、第一上枠２１の下方に配置された固定障子６とが上下方向に並び、第一上枠２１を上側の枠材および下側の枠材の２つの部材で構成する必要が無いため、第一建具の上枠２１部分の見付け寸法を小さくすることができる。
また、部材数が少なくなるため、第一建具の上枠２１部分において、各部材の端縁による横ラインが少なくなり、意匠性を向上することもできる。
さらに、第一建具の第一上枠２１部分に換気経路３０を形成しているので、第二建具の可動障子４に換気経路を設ける必要が無く、シンプルでデザイン性の高い建具とすることができる。
また、第一上枠２１および前記第二上枠５１を同一見込み寸法の形材で構成したので、浴室や脱衣室に対する納まりを共通化できる。さらに、第一上枠２１の見付け片部２１４の下端縁が、上框６１の下面と同一高さ位置、または、上框６１の下面よりも下方の高さ位置に設定されているので、脱衣室側から上枠２１部分を視認した際に、上框６１の見付部が見付け片部２１４で覆われて視認し難い。このため、ＦＩＸ窓２の上枠２１部分における脱衣室側からの意匠性も向上できる。
さらに、換気経路３０を開閉する弁部材２５を設けたので、浴室内の蒸気が脱衣室側に流出したり、あるいは脱衣室内の冷気が浴室内に流入することを防止できる。さらに、浴室の換気扇を作動させている場合に弁部材２５を開いて換気経路３０を開放することで、換気効率を向上できる。
ここで、弁部材２５は、重力によって他端側が固定障子６に当接する閉塞側に回動し、浴室の換気扇を作動させて浴室内の圧力が脱衣室内の圧力に対して負圧になることなどで、他端側が固定障子６から離れる開放側に回動するものが好ましい。なお、弁部材２５としては、手動操作で回動するものや、適宜な駆動手段で回動するものであってもよい。
【００４０】
より具体的には以下の通りである。建具１を、ＦＩＸ窓２および浴室ドア５の連窓形式で構成し、換気経路３０をＦＩＸ窓２の上枠２１部分のみに形成し、浴室ドア５には換気経路を設けていないので、浴室ドア５の上枠５１に換気経路を設ける必要が無く、上枠５１の見付け寸法も最小限に抑えることができるため、可動障子４の高さ寸法、つまり有効開口寸法を大きくできる。
【００４１】
また、建具１は、ＦＩＸ窓２の上枠２１と、固定障子６の上框６１との間に換気経路３０を形成しているので、ＦＩＸ窓２の上枠２１部分の見付け寸法（上下寸法）を小さくできる。すなわち、図４に示すように、弁部材２５で換気経路３０が開閉される位置では、上枠２１、弁部材２５（換気経路３０）、上框６１の３部材を配置することで換気経路３０を形成できる。このため、従来のように、上側の上枠、弁部材、下側の上枠、可動障子の上框の４部材を配置する場合に比べて、部材数が少なくなり、ＦＩＸ窓２の上枠２１部分の見付け寸法を小さくすることができる。
その上、上枠２１部分の部材数が少なくなるため、各部材の端縁等による横ラインが少なくなり、この点でも意匠性を向上できる。
さらに、浴室ドア５の建具枠５０や可動障子４に換気経路を設ける必要が無いため、浴室ドア５もシンプルでデザイン性の高い建具とすることができる。
【００４２】
また、換気経路３０を開閉する弁部材２５は、浴室の換気扇を作動させることで浴室側が負圧になれば自動的に換気経路３０を開放し、浴室の換気扇を停止している場合には重力によって閉塞側に回動して自動的に換気経路３０を閉塞できる。このため、利用者が弁部材２５の開閉操作を行う必要が無く、利便性が高い。
さらに、利用者が入浴中など換気扇を停止している場合には、弁部材２５で換気経路３０が閉塞されるため、浴室内の蒸気が脱衣室側に流出したり、脱衣室内の冷気が浴室内に流入することを防止できる。
また、入浴後に浴室を乾燥させるために、可動障子４を閉めて換気扇を作動した場合には、弁部材２５が自動的に開いて換気経路３０を開放することで、換気効率を向上できる。
【００４３】
ＦＩＸ窓２において、建具枠２０の上枠２１の垂下片部２１３と、固定障子６の上框６１との間に、浴室側通路３４を形成しているので、換気経路３０の浴室側通路３４、浴室側開口３５を下向きに形成でき、浴室側に取り込む空気を下向きに流入させて固定障子６に沿って浴室に導入することができ、固定障子６の浴室面の乾きを促進できる。
さらに、換気経路３０の浴室側開口３５が下向きに形成されることで、浴室側から見た場合に換気経路３０が垂下片部２１３によって覆われて、換気経路３０内への水の浸入を防止でき、汚れも溜まりにくくできる。さらに、換気経路３０は利用者が直接視認し難いため、浴室側からの意匠性も向上できる。
【００４４】
上枠２１の見付け片部２１４の下端縁が、上框６１の下面と同一高さ位置に設定されているので、脱衣室側から上枠２１部分を視認した際に、上框６１の見付部は見付け片部２１４で覆われるため視認し難くできる。このため、ＦＩＸ窓２の上枠２１部分における脱衣室側からの意匠性も向上できる。
さらに、換気経路３０の脱衣室側開口３１が下向きに形成されるため、汚れも溜まりにくくでき、換気経路３０や弁部材２５は利用者が直接視認し難いため、脱衣室側からの意匠性も向上できる。
【００４５】
上枠２１の垂下片部２１３の下端縁が、上框６１の下面と同一高さ位置に設定されているので、浴室側から上枠２１部分を視認した際に、上框６１の見付部や弁部材２５は垂下片部２１３で覆われるため視認し難くできる。このため、ＦＩＸ窓２の上枠２１部分における浴室側からの意匠性も向上できる。
【００４６】
さらに、固定障子６の縦框６３、６４の脱衣室側は、縦枠２３、２４の見付け片部２３３、２４３で被覆され、下框６２の脱衣室側は、下枠２２の固定片部２２３で被覆されている。このため、固定障子６の各框６１、６２、６３、６４は脱衣室側から視認され難く、建具枠２０で隠された状態となるため、ＦＩＸ窓２において框部分が目立たない、シンプルな意匠を実現できる。
【００４７】
さらに、可動障子４の上框４１の下面と、上枠アタッチメント５７の延出片部５７２の下面とがほぼ同一面とされているので、上框４１の脱衣室側を上枠アタッチメント５７で被覆できる。
また、可動障子４の縦框４３の内面（縦框４４に対向する面）と、縦枠５３の内周面５３４とがほぼ同一面とされているので、縦框４３の脱衣室側を縦枠５３で被覆できる。
同様に、可動障子４の縦框４４の内面（縦框４３に対向する面）と、縦枠５４の内周面５４４とがほぼ同一面とされているので、縦框４４の脱衣室側を縦枠５４で被覆できる。
これらにより、可動障子４を閉めた状態では、各可動障子４の戸先框、吊元框（縦框４３、縦框４４）および上框４１は脱衣室側から視認され難く、建具枠５０で隠された状態となるため、浴室ドア５において框部分が目立たない、シンプルな意匠を実現できる。
【００４８】
また、ＦＩＸ窓２の建具枠２０の上枠２１、縦枠２４の脱衣室側は、壁材１１、壁材１４で覆われており、見切り片部２１５、２３５、２４５部分のみが露出するだけである。
さらに、建具枠２０の下枠２２の脱衣室側も窓台１９で覆われており、固定片部２２３部分が露出するだけである。
また、浴室ドア５の建具枠５０の上枠５１、縦枠５３の脱衣室側は、壁材１１、壁材１３で覆われており、見切り片部５１５、５３５、５４５部分のみが露出するだけである。
さらに、建具枠５０の下枠５２の脱衣室側も床材１２で覆われており、固定片部５２３部分が露出するだけである。
したがって、脱衣室側からＦＩＸ窓２、浴室ドア５を見た際に、各枠も殆ど露出しないため、建具１の意匠性をより向上できる。
その上、建具１を躯体に固定するネジ１６、１７、１８は、各壁材１１、壁材１３、１４の表面よりも奥まった位置に配置されており、脱衣室側から建具１を見た際に視認できない位置に配置されているので、建具１の意匠性をより向上できる。
【００４９】
ＦＩＸ窓２は、浴室ドア５よりも高さ寸法が小さくされて、腰高なＦＩＸ窓２として構成されるので、ＦＩＸ窓２の下側に浴槽１１０を配置することができる。このため、浴室に対する建具１の配置自由度が高まり、浴室の様々なレイアウトに容易に対応できる。
【００５０】
上枠２１の垂下片部２１３の下端部分を切断することで、上枠５１を構成できるため、同じ金型で上枠２１，５１を製造でき、コストを削減できる。また、垂下片部２１３を残しておけば、垂下片部２１３と、框６１や上枠アタッチメント５７との間に、スライド移動される引戸を案内する凹溝状のレール部を形成できるので、引戸用の上枠としても利用できる。なお、引戸の下レールは、下枠２２，５２の表面に突条レール部を形成すればよい。したがって、下枠もレールを有する枠と、レールを削除した下枠とで金型を共通化できるので、コストを削減できる。
【００５１】
［変形例］
本発明は、以上の実施形態で説明した構成のものに限定されず、本発明の目的を達成できる範囲での変形例は、本発明に含まれる。
例えば、前記実施形態では、ＦＩＸ窓２は腰高窓で構成し、ＦＩＸ窓２の高さ寸法を浴室ドア５に比べて小さく設計していたが、図８に示すように、浴室ドア５と同じ高さ寸法のＦＩＸ窓２Ａを連窓させた建具１Ａを用いてもよい。
この建具１Ａの場合、ＦＩＸ窓２Ａが壁材１１から床材１２まで配置されるため、ＦＩＸ窓２の下側には浴槽１１０を配置することができない。このため、図９に示すように、浴槽１１０を建具１Ａから離して配置すればよい。すなわち、浴室ユニット１００の洗い場１６０に面して建具１Ａを配置すればよい。
【００５２】
ＦＩＸ窓２の固定障子６と、浴室ドア５の可動障子４の見込み位置は、揃えてもよい。固定障子６および可動障子４の見込み位置が揃っていれば、略フラットなデザインの連窓とすることができる。
また、建具１として、浴室ドア５とＦＩＸ窓２とを併設した連窓形式の建具を用いていたが、浴室ドア５の代わりに、折戸を設け、折戸とＦＩＸ窓とを併設した連窓形式の建具としてもよい。
さらに、浴室ドア５とＦＩＸ窓２との位置関係は、前記実施形態とは逆に配置してもよく、浴室や脱衣室のレイアウトに応じて設定すればよい。
【００５３】
固定障子６は、工場においてユニット化されて施工現場に運ばれて建具枠２０に固定されるものでもよいし、施工現場において組み立てられるものでもよい。さらに、固定障子６は、上框６１、下框６２、縦框６３、６４を枠組みしてパネル６５を組み込むものに限定されず、壁パネルのように框材を備えずに予めパネル状とされたものを用いてもよい。
【００５４】
さらに、見付け片部２１４、垂下片部２１３の下端縁は、上框６１の下面と同一高さ位置のものに限定されない。例えば、見付け片部２１４や垂下片部２１３の下端縁を、上框６１の下面よりも下方の高さ位置まで延長してもよい。また、見付け片部２３３、２４３の端縁は、前記縦框６３，６４の内側面よりも建具枠２０の内周側の位置まで延長してもよい。
【符号の説明】
【００５５】
１、１Ａ…建具、２、２Ａ…第一建具であるＦＩＸ窓、４…可動障子、５…第二建具である浴室ドア、６…固定障子、２０…第一枠体である建具枠、２１…第一上枠、２２…第一下枠、２３…第一縦枠、２４…第一縦枠、２５…弁部材、３０…換気経路、３１…脱衣室側開口、３２…脱衣室側通路、３３…連通通路、３４…浴室側通路、３５…浴室側開口、４１…上框、４２…下框、４３…縦框、４４…縦框、５０…第二枠体である建具枠、５１…第二上枠、５２…第二下枠、５３…第二縦枠、５４…第二縦枠、５７…上枠アタッチメント、６１…上框、６２…下框、６３…縦框、６４…縦框、６５…パネル材であるパネル、７１…連結部材、７５…連結部材、１００…浴室ユニット、１１０…浴槽、１３０…浴室壁、２１１…見込み片部、２１３…垂下片部、２１４…見付け片部。
【図１】
0006419636.tif 000002
【図２】
0006419636.tif 000003
【図３】
0006419636.tif 000004
【図４】
0006419636.tif 000005
【図５】
0006419636.tif 000006
【図６】
0006419636.tif 000007
【図７】
0006419636.tif 000008
【図８】
0006419636.tif 000009
【図９】
0006419636.tif 000010